【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
入力画像信号から高周波成分と低周波成分を分離する分離手段と、
前記低周波成分から、輝度信号用の色信号成分を生成する第１の生成手段と、
前記低周波成分から、色差信号用の色信号成分を生成する第２の生成手段と、
前記第１の生成手段の出力と前記第２の生成手段の出力を合成して、輝度信号用と色差信号用に共通の色信号成分を生成する第３の生成手段と、
前記第３の生成手段の出力に対して第１の階調変換処理を行う第１の階調変換手段と、
前記第１の階調変換手段により処理された後の信号から輝度信号と色差信号を生成する色輝度分離手段と、
前記高周波成分に対して第２の階調変換を行う第２の階調変換手段と、
前記色輝度分離手段の出力と前記第２の階調変換手段の出力とを合成する合成手段と、
を備えることを特徴とする画像処理装置。
【請求項２】
前記第２の階調変換手段は、前記第１の階調変換手段よりも、入力信号の低輝度部に対する振幅の増幅の程度が小さいことを特徴とする請求項１に記載の画像処理装置。
【請求項３】
前記第１の階調変換手段は、相対的に非線形の強い階調変換を行い、前記第２の階調変換手段は、相対的に前記第１の階調変換手段よりも非線形の弱い階調変換を行うことを特徴とする請求項１に記載の画像処理装置。
【請求項４】
前記色信号成分は、ＲＧＢの信号成分であることを特徴とする請求項１乃至３のいずれか１項に記載の画像処理装置。
【請求項５】
前記第１の階調変換手段から出力される色信号成分を、輝度信号成分と色差信号成分とに分離する分離手段をさらに備えることを特徴とする請求項１乃至４のいずれか１項に記載の画像処理装置。
【請求項６】
前記画像処理装置は、入力画像信号の信号レベルと出力画像信号の信号レベルの関係を示す曲線が目標とする目標曲線となるように、入力画像信号に対して階調変換を行う画像処理装置であって、
前記目標曲線は、ハイダイナミックレンジに対応するモニタのＥＯＴＦ（Electro Optical Transfer Function）の逆特性となる曲線であることを特徴とする請求項１乃至５のいずれか１項に記載の画像処理装置。
【請求項７】
入力画像信号から高周波成分と低周波成分を分離する分離手段と、
前記低周波成分から、輝度信号用の色信号成分を生成する第１の生成手段と、
前記低周波成分から、色差信号用の色信号成分を生成する第２の生成手段と、
前記輝度信号用の色信号成分に対して第３の階調変換処理を行う第３の階調変換手段と、
前記色差信号用の色信号成分に対して第４の階調変換処理を行う第４の階調変換手段と、
前記第３の階調変換手段の出力と前記第４の階調変換手段の出力を合成して、輝度信号用と色差信号用に共通の色信号成分を生成する第３の生成手段と、
前記第３の生成手段の出力に対して第１の階調変換処理を行う第１の階調変換手段と、
前記第１の階調変換手段により処理された後の信号から輝度信号と色差信号を生成する色輝度分離手段と、
前記高周波成分に対して第２の階調変換を行う第２の階調変換手段と、
前記色輝度分離手段の出力と前記第２の階調変換手段の出力とを合成する合成手段と、
を備えることを特徴とする画像処理装置。
【請求項８】
前記第３の階調変換手段と前記第４の階調変換手段は、前記第３の階調変換手段から出力される色信号成分と、前記第４の階調変換手段から出力される色信号成分の振幅の差が所定のレベル以下になるように、階調変換を行うことを特徴とする請求項７に記載の画像処理装置。
【請求項９】
前記第２の階調変換手段は、前記第１の階調変換手段と、前記第３または第４の階調変換手段とを組み合わせた階調変換特性よりも、入力信号の低輝度部に対する振幅の増幅の程度が小さいことを特徴とする請求項７または８に記載の画像処理装置。
【請求項１０】
前記第１の階調変換手段と、前記第３または第４の階調変換手段とを組み合わせた階調変換特性は、相対的に非線形の強い階調変換特性であり、前記第２の階調変換手段の階調変換特性は、相対的に前記第１の階調変換手段と、前記第３または第４の階調変換手段とを組み合わせた階調変換特性よりも非線形の弱い階調変換特性であることを特徴とする請求項７に記載の画像処理装置。
【請求項１１】
前記第３の階調変換手段と前記第４の階調変換手段は、互いに同じ特性の階調変換を行うことを特徴とする請求項７乃至１０のいずれか１項に記載の画像処理装置。
【請求項１２】
前記第３および第４の階調変換手段が行う階調変換は、入力信号の信号レベルと出力信号の信号レベルの関係を表す曲線が直線である階調変換を含むことを特徴とする請求項７乃至１１のいずれか１項に記載の画像処理装置。
【請求項１３】
前記画像処理装置は、入力画像信号の信号レベルと出力画像信号の信号レベルの関係を示す曲線が目標とする目標曲線となるように、入力画像信号に対して階調変換を行う画像処理装置であって、
前記第３および第４の階調変換手段は、前記入力画像信号の低周波成分の信号レベルと出力画像信号の低周波成分の信号レベルの関係を示す曲線が前記目標曲線に一致するよりも少ない変換量で階調変換を行い、前記第１の階調変換手段は、前記第３および第４の階調変換手段で階調変換した後に残った前記目標曲線との差分に対応する変換量で階調変換を行うことを特徴とする請求項７に記載の画像処理装置。
【請求項１４】
前記目標曲線は、ハイダイナミックレンジに対応するモニタのＥＯＴＦ（Electro Optical Transfer Function）の逆特性となる曲線であることを特徴とする請求項１３に記載の画像処理装置。
【請求項１５】
前記色信号成分は、ＲＧＢの信号成分であることを特徴とする請求項７乃至１４のいずれか１項に記載の画像処理装置。
【請求項１６】
前記第１の階調変換手段から出力される色信号成分を、輝度信号成分と色差信号成分とに分離する分離手段をさらに備えることを特徴とする請求項７乃至１５のいずれか１項に記載の画像処理装置。
【請求項１７】
入力画像信号から高周波成分と低周波成分を分離する分離工程と、
前記低周波成分から、輝度信号用の色信号成分を生成する第１の生成工程と、
前記低周波成分から、色差信号用の色信号成分を生成する第２の生成工程と、
前記第１の生成工程の出力と前記第２の生成工程の出力を合成して、輝度信号用と色差信号用に共通の色信号成分を生成する第３の生成工程と、
前記第３の生成工程の出力に対して第１の階調変換処理を行う第１の階調変換工程と、
前記第１の階調変換工程により処理された後の信号から輝度信号と色差信号を生成する色輝度分離工程と、
前記高周波成分に対して第２の階調変換を行う第２の階調変換工程と、
前記色輝度分離工程の出力と前記第２の階調変換工程の出力とを合成する合成工程と、
を有することを特徴とする画像処理方法。
【請求項１８】
入力画像信号から高周波成分と低周波成分を分離する分離工程と、
前記低周波成分から、輝度信号用の色信号成分を生成する第１の生成工程と、
前記低周波成分から、色差信号用の色信号成分を生成する第２の生成工程と、
前記輝度信号用の色信号成分に対して第３の階調変換処理を行う第３の階調変換工程と、
前記色差信号用の色信号成分に対して第４の階調変換処理を行う第４の階調変換工程と、
前記第３の階調変換工程の出力と前記第４の階調変換工程の出力を合成して、輝度信号用と色差信号用に共通の色信号成分を生成する第３の生成工程と、
前記第３の生成工程の出力に対して第１の階調変換処理を行う第１の階調変換工程と、
前記第１の階調変換工程により処理された後の信号から輝度信号と色差信号を生成する色輝度分離工程と、
前記高周波成分に対して第２の階調変換を行う第２の階調変換工程と、
前記色輝度分離工程の出力と前記第２の階調変換工程の出力とを合成する合成工程と、
を有することを特徴とする画像処理方法。
【請求項１９】
請求項１７または１８に記載の画像処理方法の各工程をコンピュータに実行させるためのプログラム。
【請求項２０】
請求項１７または１８に記載の画像処理方法の各工程をコンピュータに実行させるためのプログラムを記憶したコンピュータが読み取り可能な記憶媒体。